(57)【特許請求の範囲】
【請求項１】
アナログ公衆回線でｘＤＳＬを利用した通信における音声信号とデータ信号を分離して、アナログ通話とインターネット通話を実現するインターネットＶｏＩＰアダプタにおいて、
自インターネットＶｏＩＰアダプタに接続されたアナログ端末装置からの発信電話番号により当該発信が自インターネットＶｏＩＰアダプタと互換のインターネットＶｏＩＰアダプタに接続されたアナログ端末装置への発信であることを認識する機能と、発信電話番号通知着信により自インターネットＶｏＩＰアダプタと互換のインターネットＶｏＩＰアダプタに接続されたアナログ端末装置からの着信であることを認識する機能と、モデム機能により音声信号（インチャンネル）を使用して相手側インターネットＶｏＩＰアダプタとの間でＩＰアドレスを交換する機能とを有し、発信時または着信時に相手装置が自インターネットＶｏＩＰアダプタと互換のインターネットＶｏＩＰアダプタに接続されたアナログ端末装置であると認識した場合、アナログ通話またはインターネット通話の通話中にアナログ通話からインターネット通話にまたはインターネット通話からアナログ通話に通話路を切り替えることができることを特徴とするインターネットＶｏＩＰアダプタ。
【請求項２】
発信電話番号通知着信により当該着信が自インターネットＶｏＩＰアダプタと互換のインターネットＶｏＩＰアダプタに接続されたアナログ端末装置からのアナログ通話の着信と判断すると、自インターネットＶｏＩＰアダプタに接続されたアナログ端末装置へアナログ着信を行い、自インターネットＶｏＩＰアダプタに接続された前記アナログ端末装置から一定時間応答がない場合、自インターネットＶｏＩＰアダプタが当該着信に自動的に応答し、前記相手側インターネットＶｏＩＰアダプタとの間で音声信号を用いてＩＰアドレスを交換し、交換したＩＰアドレスに基づいてＩＰシグナリングプロトコルを用いた呼接続によりインターネット通話の着信に切り替えることを特徴とする請求項１に記載のインターネットＶｏＩＰアダプタ。
【請求項３】
自インターネットＶｏＩＰアダプタに接続されたアナログ端末装置が、相手側インターネットＶｏＩＰアダプタに接続されたアナログ端末装置とＩＰ通話路を介してインターネット通話している状態で、いずれかの前記アナログ端末装置からアナログ通話へ移行する旨の指示があると、当該インターネット通話を行っている相手側アナログ端末装置の電話番号でアナログ発信を行い、アナログ通話路が設定された後前記インターネット通話をアナログ通話に切り替えることを特徴とする請求項１に記載のインターネットＶｏＩＰアダプタ。
【請求項４】
発信電話番号通知着信により、当該着信が自インターネットＶｏＩＰアダプタと互換のインターネットＶｏＩＰアダプタに接続されたアナログ端末装置からのアナログ通話着信であると判断すると、自インターネットＶｏＩＰアダプタに接続されているアナログ端末装置に対して通常のアナログ着信である旨の着信信号を送出し、自インターネットＶｏＩＰアダプタに接続された前記アナログ端末装置から一定時間応答がない場合、当該着信に自動的に応答し、相手側インターネットＶｏＩＰアダプタとの間でＩＰアドレスを交換後、ＩＰシグナリングプロトコルを用いてＩＰ通話路を設定した後、インターネット通話による着信である旨の着信信号を前記アナログ端末装置へ送出することを特徴とする請求項１に記載のインターネットＶｏＩＰアダプタ。
【発明の詳細な説明】
【０００１】
【発明の属する技術分野】
本発明は、アナログ回線を利用した非対称ディジタル加入者線伝送（Ａｓｙｍｍｅｔｒｉｃ  Ｄｉｇｉｔａｌ  Ｓｕｂｓｃｒｉｂｅｒ  Ｌｉｎｅ：ＡＤＳＬ）などにおいて、アナログインタフェースとディジタルインタフェースを有し、アナログ通話とＶｏＩＰ（Ｖｏｉｃｅ  ｏｖｅｒ  ＩＰ）通話などのインターネット通話の双方を行うことができるインターネットＶｏＩＰアダプタに関する。
【０００２】
【従来の技術】
アナログ回線を使用したＡＤＳＬなどにおいて、アナログ通話とインターネット通話を行うには、一般電話とデータインタフェースが別となっており、それぞれ使用するには、必用な機器を接続してサービスを行っていた。
【０００３】
このように、従来の技術では、アナログ通話とインターネット通話は別に構成されているので、アナログ通話またはインターネット通話を区別して使用しなければならず、これらの通話を自動的に判別したり、通話種別を通話中に切り替えることはできなかった。
【０００４】
【発明が解決しようとする課題】
本発明は、アナログ端末装置とディジタル端末装置とを収容するとともに、対向するインターネットＶｏＩＰアダプタとの間をＡＤＳＬなどのｘＤＳＬ回線を介して接続し、ＡＤＳＬ回線上で音声信号によりアナログ通話を実現しデータ信号によりインターネット通話を実現するインターネットＶｏＩＰアダプタにおいて、アナログ端末装置からの通話がアナログ通話であるかインターネット通話であるかを自動的に判別して、それぞれの通話を実現することを目的とする。
【０００５】
本発明は、上記インターネットＶｏＩＰアダプタにおいて、通話中にアナログ通話とインターネット通話を切り替えることを可能とすることを目的とする。
【０００６】
【課題を解決するための手段】
上記課題を解決するために、本発明は、アナログ公衆回線でｘＤＳＬを利用した通信における音声信号とデータ信号を分離して、アナログ通話とインターネット通話を実現するインターネットＶｏＩＰアダプタにおいて、
自インターネットＶｏＩＰアダプタに接続されたアナログ端末装置からの発信電話番号により当該発信が自インターネットＶｏＩＰアダプタと互換のインターネットＶｏＩＰアダプタに接続されたアナログ端末装置への発信であることを認識する機能と、発信電話番号通知着信により自インターネットＶｏＩＰアダプタと互換のインターネットＶｏＩＰアダプタに接続されたアナログ端末装置からの着信であることを認識する機能と、モデム機能により音声信号（インチャンネル）を使用して相手側インターネットＶｏＩＰアダプタとの間でＩＰアドレスを交換する機能とを有し、発信時または着信時に相手装置が自インターネットＶｏＩＰアダプタと互換のインターネットＶｏＩＰアダプタに接続されたアナログ端末装置であると認識した場合、アナログ通話またはインターネット通話の通話中にアナログ通話からインターネット通話にまたはインターネット通話からアナログ通話に通話路を切り替えることができるようにした。
【０００７】
本発明は、上記インターネットＶｏＩＰアダプタにおいて、発信電話番号通知着信により当該着信が自インターネットＶｏＩＰアダプタと互換のインターネットＶｏＩＰアダプタに接続されたアナログ端末装置からのアナログ通話の着信と判断すると、自インターネットＶｏＩＰアダプタに接続されたアナログ端末装置へアナログ着信を行い、自インターネットＶｏＩＰアダプタに接続された前記アナログ端末装置から一定時間応答がない場合、自インターネットＶｏＩＰアダプタが当該着信に自動的に応答し、前記相手側インターネットＶｏＩＰアダプタとの間で音声信号を用いてＩＰアドレスを交換し、交換したＩＰアドレスに基づいてＩＰシグナリングプロトコルを用いた呼接続によりインターネット通話の着信に切り替えることができるようにした。
【０００９】
本発明は、上記インターネットＶｏＩＰアダプタにおいて、自インターネットＶｏＩＰアダプタに接続されたアナログ端末装置が、相手側インターネットＶｏＩＰアダプタに接続されたアナログ端末装置とＩＰ通話路を介してインターネット通話している状態で、いずれかの前記アナログ端末装置からアナログ通話へ移行する旨の指示があると、当該インターネット通話を行っている相手側アナログ端末装置の電話番号でアナログ発信を行い、アナログ通話路が設定された後前記インターネット通話をアナログ通話に切り替えることができるようにした。
【００１０】
本発明は、上記インターネットＶｏＩＰアダプタにおいて、発信電話番号通知着信により、当該着信が自インターネットＶｏＩＰアダプタと互換のインターネットＶｏＩＰアダプタに接続されたアナログ端末装置からのアナログ通話着信であると判断すると、自インターネットＶｏＩＰアダプタに接続されているアナログ端末装置に対して通常のアナログ着信である旨の着信信号を送出し、自インターネットＶｏＩＰアダプタに接続された前記アナログ端末装置から一定時間応答がない場合、当該着信に自動的に応答し、相手側インターネットＶｏＩＰアダプタとの間でＩＰアドレスを交換後、ＩＰシグナリングプロトコルを用いてＩＰ通話路を設定した後、インターネット通話による着信である旨の着信信号を前記アナログ端末装置へ送出するようにした。
【００１２】
本発明は、上記インターネットＶｏＩＰアダプタにおいて、対向するインターネットＶｏＩＰアダプタに収容されたアナログ端末装置間でＩＰ通話路を介してインターネット通話している状態で、いずれかのアナログ端末装置からアナログ通話路へ移行する旨の指示があると、アナログ通話路を設定し、アナログ通話路が設定された後ＩＰ通話路を切断し、アナログ端末装置からの音声信号をアナログ通話路上へ出力することを特徴とする。
【００１３】
本発明は、アナログ通話とインターネット通話を切り替えることができるインターネットＶｏＩＰアダプタを使用することによって、アナログ通話またはインターネット通話を自動的に切り替えることができる。さらに、本発明によれば、アナログ通話はそのままアナログ音声として通過させ、インターネット通話のときは、音声圧縮処理を施しＩＰデータに変換して、イーサネット（登録商標）上に送出する。
【００１４】
また、本発明によれば、インターネット通話時に必要なＩＰアドレスの交換機能を有し、アナログ通話中にインターネット通話に切り替える必要が生じた場合に任意にインターネット通話に切り替えることができるとともに、インターネット通話中に、音質などが悪い場合に任意にアナログ通話に切り替えることができる。
【００１５】
本発明は、アナログ網からのナンバーディスプレイ着信があったときに、相手装置がＶｏＩＰアダプタに接続されたアナログ端末装置であることを判別する機能を有している。
【００１６】
インターネットＶｏＩＰアダプタには、シリアルインタフェースを使用して接続する相手側ＶｏＩＰアダプタが収容されている電話番号（相手の電話番号）が登録される。登録方法は、ＶｏＩＰアダプタのシリアルインタフェース部に接続されたディジタル端末装置からの入力により行う。ナンバーディスプレイ着信は、アナログ網より発信電話番号（モデム信号）として通知され、この通知により着信した際、発信者の電話番号を判別することができる。
【００１７】
本発明においては、アナログ通話中またはインターネット通話中でも、加入者側イーサネットインタフェースに接続されたディジタル端末装置のデータを送受信することが可能である。
【００１８】
アナログ通話中またはインターネット通話中において、加入者側イーサネットインタフェースに接続されたディジタル端末装置からのデータは、主制御部にて受信して回線側イーサネットインターフェースからＡＤＳＬモデムへデータを送出する。アナログ通話中でもインターネット通話中でも常に加入者側イーサネットインタフェースから受信したデータは、主制御部にてそのまま回線側インタフェース部よりデータを送出する。また、回線側イーサネットインタフェースから受信したデータが、インターネット通話の音声データかまたは加入者側イーサネットインタフェースに接続されたディジタル端末装置へのデータかの判別は、主制御部にてＩＰパケットのデータ内容を判別し、音声データまたはそれ以外かを判別している。すなわち、ＩＰパケットには、データのヘッダ部が挿入されており、音声ヘッダまたはメールなどのデータヘッダが付加されているので、上記の判断をすることができる。
【００１９】
【発明の実施の形態】
図１を用いて、本発明にかかるインターネットＶｏＩＰアダプタのハードウエアの構成を説明する。インターネットＶｏＩＰアダプタ１は、回線側アナログ回線制御部１２Ｔと、加入者側アナログ回線制御部１２Ｓと、アナログ通話／インターネット通話切替スイッチ１３と、回線側イーサネットインターフェース１４Ｔと、加入者側イーサネットインターフェース１４Ｓと、音声圧縮伸長処理部１５と、主制御部１６と、着信音生成部１７と、ＩＰシグナリング制御部１８と、データ設定制御部１９１と、シリアルインタフェース１９２とを有して構成される。
【００２０】
スプリッタ１０は、アナログ回線７を介してアナログ回線網に接続される。加入者側アナログ回線制御部１２Ｓは、アナログ回線３１を介してアナログ電話機やアナログファクシミリ装置などのアナログ端末装置３に接続される。加入者側イーサネットインターフェース１４Ｓは、ディジタル回線５１を介してパーソナルコンピュータ（ＰＣ５）やＩＰ電話機などのディジタル端末装置５に接続される。
【００２１】
外部に接続されたスプリッタ１０は、アナログ回線７から送られてきたＡＤＳＬなどのｘＤＳＬ信号から、音声周波数帯域の音声信号と高い周波数帯域のデータ信号を分離する手段であり、分離した音声信号を回線側アナログ回線制御部１２Ｔへ送出し、分離したデータ信号をＡＤＳＬモデム１１経由で回線側イーサネットインターフェース１４Ｔへ送出する。さらに、スプリッタ１０は、回線側アナログ回線制御部１２Ｔから送られてきた音声信号と回線側イーサネットインターフェース１４ＴからＡＤＳＬモデム１１を経由して送られてきたデータ信号をアナログ回線７へ合成する働きを有している。
【００２２】
スプリッタ１０とＡＤＳＬモデム１１は、外部に接続するかまたは同等の機能を内部にもたせることも可能である。
【００２３】
回線側アナログ回線制御部は、アナログ回線から抽出したアナログ信号を送受信するためのものであり、アナログ回線の電話信号とデータ信号の分離は、スプリッタにおいて行うので、このスプリッタを外付けまたは内蔵するかは特に問わない。回線イーサネットインタフェースも同様であり、接続インタフェースとしてはイーサネットをアナログ回線へ接続する機能は、ＡＤＳＬモデムの機能であり、この機能を外付けとするか内蔵するかは、特に問わない。
【００２４】
ＡＤＳＬモデム１１は、スプリッタ１０から送られてきたＡＤＳＬ信号から分離したデータ信号を、復調してディジタルデータに変換して回線側イーサネットインターフェース１４Ｔにするとともに、回線側イーサネットインターフェース１４Ｔから送られてきたディジタルデータを高い周波数帯域のＡＤＳＬデータ信号に変調してスプリッタに送出する働きを有している。
【００２５】
回線側アナログ回線制御部１２Ｔは、アナログ回線７の回線を制御する働きを有しており、音声通信を用いたアナログ通話の着信およびアナログ通話の発信を制御する働きを有している。回線側アナログ回線制御部１２Ｔは、アナログ網からの着信（ナンバーディスプレイ着信）により、同一の機能を有する端末装置（ＶｏＩＰアダプタ）からの着信を認識し主制御部１６へ通知する働きを有している。また、相手側端末装置の応答／切断を認識し、相手からの通話開始／終了を主制御部１６へ通知する。アナログ通話からインターネット通話へ切り替えた際、主制御部１６からの指示によりアナログ網の切断動作を行う働きを有している。
【００２６】
加入者側アナログ回線制御部１２Ｓは、アナログ端末装置３とを結ぶアナログ回線３１を制御する働きを有しており、アナログ端末装置３とのアナログ通話の着信およびアナログ通話の発信を制御する働きを有している。加入者側アナログ回線制御部１２Ｓは、発信先（ダイヤル先）番号が同一の機能を有する端末装置（ＶｏＩＰアダプタ）であるか否かの認識を行う働きを有している。相手が同一の機能を有する端末装置であるならば主制御部１６へ接続先が同一の機能を有する端末装置であると通知する。相手端末装置が同一の機能を有していない場合には、アナログ通話／インターネット通話切替スイッチ１３をそのまま経由して回線側アナログ回線制御部１２Ｔを介してアナログ網へ接続し、本発明の動作は行わない。また、加入者側アナログ回線制御部１２Ｓは、接続されたアナログ電話機のオフフック情報（発信）やオンフック情報（終話）を検出する働きを有している。
【００２７】
アナログ通話／インターネット通話切替スイッチ１３は、アナログ端末装置３とアナログ回線７との通話を、回線側アナログ回線制御部１２Ｔ経由で行うアナログ通話と、回線側イーサネットインターフェース１４Ｔ経由で行うインターネット通話とのいずれかに切り替える働きを有している。すなわち、アナログ通話／インターネット通話切替スイッチ１３は、主制御部１６からの指示を受けてアナログ通話路をＩＰ通話路（インターネット通話）へ切り替える働きを有している。アナログ通話の場合は、加入者側アナログ回線制御部１２Ｓと回線側アナログ回線制御部１２Ｔ間を通過させる通話路を形成し、ＩＰ通話の場合は、加入者側アナログ回線制御部１２Ｓからのアナログ通話を、音声圧縮伸長処理部１５で音声圧縮処理してディジタル化して、回線側イーサネットインターフェース１４ＴへＩＰパケットとして通話路を形成する働きを有している。
【００２８】
回線側イーサネットインターフェース１４Ｔは、ＡＤＳＬモデムでディジタルデータを送受信する働きを有している。すなわち、回線側イーサネットインターフェース１４Ｔは、ＰＣ５からのＩＰデータをＩＰ網へ送出する機能と、ＩＰ通話を行う際の、ＩＰアドレス交換、Ｈ．３２３呼接続のＩＰデータの送受信、さらに、ＩＰ通話での音声パケットの送受信を行う働きを有している。
【００２９】
加入者側イーサネットインターフェース１４Ｓは、データ端末装置５とを結ぶディジタル回線５１を制御する働きを有しており、ディジタル端末装置５とのディジタルデータの送信および受信を制御する働きを有している。すなわち、加入者側イーサネットインターフェース１４Ｓは、接続されたＰＣ５からのＩＰデータを回線側イーサネットインターフェース１４Ｔを経由してＩＰ網へ送出する働きを有している。
【００３０】
音声圧縮伸長処理部１５は、アナログ端末装置３がＡＤＳＬモデム１１経由で通話するときにアナログ音声信号を圧縮してディジタル信号とするとともに、ＡＤＳＬモデム１１経由で受信した圧縮されたディジタル信号を伸長してアナログ音声信号とする働きを有している。すなわち、音声圧縮伸長処理部１５は、音声圧縮機能（エンコーダ）と伸長機能（デコーダ）とを有しており、アナログ音声信号とディジタル化音声信号との間でディジタル変換および復号する働きを有している。符号化の規格には、６４ｋｂｐｓの帯域を使用するＧ．７１１や８ｋｂｐｓの帯域を使用するＧ．７２９などがある。
【００３１】
主制御部１６は、インターネットＶｏＩＰアダプタ１全体を制御する手段である。すなわち、主制御部１６は、Ｈ．３２３手順によりアナログ端末装置３からの通話がアナログ通話を希望するかインターネット通話を希望するかを判断する働き、アナログ回線７から着信したディジタル通話がアナログ端末装置３への着信であるか否かを判断する働き、アナログ通話とインターネット通話の切替判断と指示を行うとともに、インターネット通話に必要なＩＰアドレス交換を行い、インターネット通話接続のための呼接続動作をＩＰシグナリング制御部１８へ指示する働きを有している。さらに、主制御部１６は、インターネット通話路確立時にアナログ電話機３へインターネット着信音の送出指示を着信音生成部へ指示し、アナログ通話からインターネット通話へ切り替えた際にアナログ網の切断動作を回線側アナログ回線制御部１２Ｔへ指示する働きを有している。さらに、主制御部１６は、ＩＰ通話時に、ＩＰパケットを生成する働きも有している。
【００３２】
着信音生成部１７は、アナログ端末装置３側へ送出する各種鳴動音を生成する手段である。すなわち、着信音生成部１７は、インターネット着信を、接続されたアナログ端末装置３へ通知する着信音を生成する働きを有している。さらに、着信音生成部１７は、アナログ着信中に、ＶｏＩＰアダプタにてＩＰアドレス交換や、Ｈ．３２３手順による呼制御にてインターネット通話路が確立するとアナログ電話機３に対して着信音を変化させてＩＰ網によるインターネット着信を通知する働きを有している。
【００３３】
ＩＰシグナリング制御部１８は、インターネット通話におけるＨ．３２３やＳＩＰなどのＩＰシグナリングプロトコルを用いた呼制御を行う手段である。すなわち、ＩＰシグナリング制御部１８は、ＩＰ通話を行うための接続動作を行い、Ｈ．３２３手順により呼接続を実施する働きを有している。接続動作は、主制御部１６からの指示によりアナログ通話からＩＰ通話へ切り替える場合と、アナログ着信後ＩＰ着信を実行する際に使用する。
【００３４】
データ設定制御部１９１は、接続する対向のインターネットＶｏＩＰアダプタの電話番号を記録する手段である。
【００３５】
シリアルインタフェース１９２は、接続されたディジタル端末装置からの設定データを送受信する制御を行う手段である。
【００３６】
上記の構成を有するインターネットＶｏＩＰアダプタ１は、
▲１▼アナログ回線７からの着信があったときに、音声信号を用いたアナログ通話であるかデータ信号を用いたインターネット通話であるかを判定し、アナログ回線７側とアナログ端末装置３またはディジタル端末装置５側との通話を、それぞれの通話路に切り替える機能と、
▲２▼アナログ端末装置３から発信があったときにアナログ通話またはインターネット通話のいずれかで通話するかを判断し、それぞれの通話路に切り替える機能と、
▲３▼インターネット通話を行うときに対向するインターネットＶｏＩＰアダプタとの間でＩＰアドレスを交換する機能と、
▲４▼アナログ端末装置３がアナログ回線７側と通話中に、アナログ通話からインターネット通話へ、またはインターネット通話からアナログ通話へ切り替える機能とを有している。
【００３７】
アナログ着信の認識は、ナンバーディスプレイにより相手がＶｏＩＰアダプタであることがわかり、このナンバーディスプレイ着信に対して自装置アナログ端末装置が応答すればアナログ通話、応答しない場合ＩＰ通話路確立にて応答すればＩＰ通話と判断する。
【００３８】
さらに、本発明のインターネットＶｏＩＰアダプタ１は、ＩＰ通話路を用いたインターネット通話時には、主制御部１６が音声パケット（ＩＰパケット）を形成する。Ｈ．３２３呼接続のパケット生成は、ＩＰシグナリング制御部１８において、接続手順も含めて行う。
【００３９】
ＩＰアダプタ１同士がアナログ通話中に任意のデータ（例えば、ＩＰアドレス要求データとＩＰアドレス応答データ）をやり取りするインチャンネル（音声信号を使用した帯域での通信）によるＩＰアドレス交換について説明する。インチャネルによるＩＰアドレス交換は、回線側アナログ回線制御部１２Ｔを経由してアナログ網で行うように主制御部１６から制御する。任意のデータの例として、発側ＶｏＩＰアダプタから送出されるＩＰアドレス要求データは、ＩＰアドレス要求コマンドに自己のＩＰアドレスを付加して構成され、着側ＶｏＩＰアダプタから送出されるＩＰアドレス応答データは、ＩＰアドレス応答コマンドに自己のＩＰアドレスを付加して構成される。
【００４０】
このような構成を有するＶｏＩＰアダプタ１に収容されるアナログ端末装置３間でアナログ通話を行う場合を説明する。発側ＶｏＩＰアダプタ１に収容されたアナログ端末装置３から相手側アナログ端末装置３への発信は、発側ＶｏＩＰアダプタ１側の加入者側アナログ回線制御部１２Ｓからアナログ通話／インターネット通話切替スイッチ１３を経由してそのまま回線側アナログ回線制御部１２Ｔよりアナログ網へ送出する。このとき、加入者側アナログ回線制御部１２Ｓでは、同一の機能を有する端末装置かどうか、すなわち相手が本発明にかかるＶｏＩＰアダプタかどうかを認識し、その結果を主制御部１６へ通知する。認識方法は、相手の同一機能を有する端末装置のダイヤル番号を予め発側ＶｏＩＰアダプタに登録しておく。同一機能を有する端末装置への発信の場合には、相手アダプタからの応答があればＩＰ通話に必要なＩＰアドレス交換をインチャネルで行う。
【００４１】
ＶｏＩＰアダプタに収容されるＩＰ電話機間でＩＰ通話を行う場合について説明する。それぞれのＶｏＩＰアダプタに収容されたＩＰ電話機はＶｏＩＰアダプタに収容されたＰＣ５によるＩＰデータと同様であるので、加入者イーサネットインタフェースから受信したＩＰ電話機からのＩＰデータを、そのまま回線側イーサネットインターフェース１４Ｔを経由してＩＰ網へ送出することによって行われる。
【００４２】
ＶｏＩＰアダプタに収容されるＰＣ５によるインターネット接続を説明する。ＰＣ５によるインターネット接続は、加入者イーサネットインタフェースから受信したＰＣ５からのＩＰデータを、そのまま回線側イーサネットインターフェース１４Ｔを経由してＩＰ網へ送出することによって行われる。
【００４３】
上記構成を有するＶｏＩＰアダプタ１に収容されるアナログ電話機３間でアナログによる発着信を行ってからＩＰ通話を行う場合を説明する。アナログ着信は、アナログ網から回線側アナログ回線制御部１２Ｔへナンバーディスプレイ着信を行う。このとき接続しているアナログ電話機３がオフフック（応答）すると、アナログ通話となる。着側ＶｏＩＰアダプタの主制御部１６は、着側アナログ電話機３に対して着信動作を行ってから少しの時間待って応答を自己が含まれるＶｏＩＰアダプタに行う。ここでアナログ網の確立がＶｏＩＰアダプタ間で成立している。この状態、（インチャネル）でＩＰアドレスの交換用データを相手ＶｏＩＰアダプタとの間で行う。ここでのＩＰアドレス交換は、ＩＰパケットを使用せず固有に決めたデータをモデム信号などで相手側ＶｏＩＰアダプタへ送信することによって行われる。ＩＰアドレスの交換が終わると、アナログ網の切断を行い、続けて相手側のＶｏＩＰアダプタのＩＰアドレスを使用してＩＰ網を介してＨ．３２３手順により呼接続処理を行う。呼接続処理およびＩＰパケットの生成は主制御部１６が行い、Ｈ．３２３呼制御は、ＩＰシグナリング制御部１８がシーケンス・手順制御を行う。ＩＰによる呼接続が確立すると、アナログ電話機３に対して着信音を変えてＩＰ着信を促すことによって、ＩＰ通話が行える。
【００４４】
アナログ通話中にＩＰ通話へ切り替える場合について説明する。アナログ電話機３間でアナログ通話中に、例えば任意に設定された通話切替キーを押し下げることによって、通話切替がＶｏＩＰアダプタへ通知される。加入者側アナログ回線制御部１２Ｓが通話切替信号を受取り、主制御部１６へ通知する。切替指示を受取った主制御部１６は、予めＩＰアドレスを交換していれば、ＩＰ網でのＨ．３２３呼接続動作へ移行するが、ＩＰアドレスを交換していない場合には、アナログ網においてインチャネルでのＩＰアドレスを交換する。任意のデータを用いて自己のＩＰアドレスを入れたアドレス要求を相手側ＶｏＩＰアダプタへ送出し、これに応答する相手からのＩＰアドレスを受取る。これらの行為は、主制御部１６が回線側アナログ回線制御部１２Ｔを経由して実施する。ＩＰアドレスの交換がすむと、相手ＶｏＩＰアダプタとのＩＰ通信が可能となるので、ＩＰ網を経由してＨ．３２３呼接続を行う。Ｈ．３２３呼接続は、ＩＰシグナリング制御部１８において、相手ＶｏＩＰアダプタとのＨ．３２３手順による呼接続動作を行う。ＩＰ通話網が確立すると主制御部１６は、アナログ通話／インターネット通話切替スイッチ１３を切り替えて、音声を音声圧縮伸長処理部１５にてディジタル変換してＩＰパケットとして回線側イーサネットインターフェース１４ＴからＩＰ網へ送出する。その後、主制御部１６は、回線側アナログ回線制御部１２Ｔへアナログ網の切断指示を出力して切断動作を行う。
【００４５】
上記構成を有するインターネットＶｏＩＰアダプタを用いて、発信側アナログ端末装置３Ａと着信側アナログ端末装置３Ｂとの間でアナログ通話する場合の接続処理およびアナログ通話中にインターネット通話（ＩＰ通話）へ切り替える場合の切替処理の詳細について、図２を用いて説明する。発信側アナログ端末装置３Ａがオフフックした後ダイヤルすると（Ｓ１）、発信側インターネットＶｏＩＰアダプタ１Ａは、加入者側アナログ回線制御部１２Ｓと回線側アナログ回線制御部１２Ｔとの間をアナログ通話／インターネット通話切替スイッチ１３を介して直接接続して、アナログ網に対してオフフック信号とダイヤル信号を送出する（Ｓ２）とともに、アナログ網の交換機から受信した呼出信号を発信側アナログ端末装置１Ａへ送信する（Ｓ３）。アナログ網はダイヤル信号を用いて対向する着信側インターネットＶｏＩＰアダプタ１Ｂへナンバーディスプレイ着信を行う（Ｓ４）。
【００４６】
着信側インターネットＶｏＩＰアダプタ１Ｂは、ナンバーディスプレイ着信を通常の呼出信号（ＩＲ）とともに着信側アナログ端末装置３Ｂへ送信する（Ｓ５）。
【００４７】
着信側ユーザがナンバーディスプレイ着信を見て発信側装置がＶｏＩＰアダプタに接続されたアナログ端末装置からの着信であると判断して着信側アナログ端末装置３Ｂをオフフックする（Ｓ６）と、応答信号をアナログ網を介して発信側ＶｏＩＰアダプタ１Ａへ送信し（Ｓ７）、発信側アナログ端末装置３Ａと着信側アナログ端末雄値３Ｂとの間でアナログ通話を行うことができる（Ｓ８）。
【００４８】
アナログ通話中に、通話が極めて長くなることなどが予想されてインターネット通話に切り替える必要が生じた場合には、いずれかのユーザがアナログ通話を介してインターネット通話に切り替える旨を相手側アナログ端末装置３の着信側ユーザへ通知する（Ｓ９）。
【００４９】
例えば、着信側アナログ端末装置１Ｂからインターネット通話へ切り替えることに対する合意があると、アナログ端末装置３Ａから特定のボタン（例えば、＃）を押してＩＰ通話移行指示をインターネットＶｏＩＰアダプタ１Ａに通知する（Ｓ１０）。発信側インターネットＶｏＩＰアダプタ１Ａは、インターネット通話へ移行するためにアナログ通話路を用いて着信側インターネットＶｏＩＰアダプタ１Ｂとの間でＩＰアドレスを交換する（Ｓ１１）。その後、発信側インターネットＶｏＩＰアダプタ１Ａと着信側インターネットＶｏＩＰアダプタ１Ｂとの間でＡＤＳＬのデータ信号を用いてインターネット呼接続（ＩＰシグナリング）を実行し（Ｓ１２）、インターネット呼接続が成功すると各インターネットＶｏＩＰアダプタ１Ａ、１Ｂは、アナログ通話からＩＰ通話への切替処理を実行して（Ｓ１３）、アナログ通話を切断する（Ｓ１４）。この結果、発信側アナログ端末装置３Ａと着信側アナログ端末装置３Ｂは、発信側インターネットＶｏＩＰアダプタ１Ａと着信側インターネットＶｏＩＰアダプタ１Ｂを介してＡＤＳＬのデータ信号を用いたインターネット通話（ＩＰ通話）が可能となる（Ｓ１５）。
【００５０】
上記インターネットＶｏＩＰアダプタを用いて発信側アナログ端末装置１Ａと着信側アナログ端末装置１Ｂとの間でインターネット通話する場合の接続処理およびインターネット通話中にアナログ通話に移行する場合の移行処理について、図３を用いて説明する。発信側のアナログ端末装置３Ａがオフフックした後ダイヤルすると（Ｓ１）、発信側インターネットＶｏＩＰアダプタ１Ａは、加入者側アナログ回線制御部１２Ｓと回線側アナログ回線制御部１２Ｔとの間を、アナログ通話／インターネット通話切替スイッチ１３を介して直接接続して、アナログ網に対してオフフック信号とダイヤル信号を送出する（Ｓ２）とともに、アナログ網の交換機から受信した呼出信号を発信側アナログ端末装置１Ａへ送信する（Ｓ３）。アナログ網はダイヤル信号を用いて対向する着信側インターネットＶｏＩＰアダプタ１Ｂへナンバーディスプレイ着信を行う（Ｓ４）。
【００５１】
着信側インターネットＶｏＩＰアダプタ１Ｂは、ナンバーディスプレイ着信を通常の着信音（ＩＲ）とともに着信側アナログ端末装置３Ｂへ送信する（Ｓ５）。ＩＰ通話を望む着信側のユーザは、ナンバーディスプレイの表示を確認してＩＰ通話が可能であることを認識し、この時点では応答しない。
【００５２】
着信側のアナログ端末装置３が所定の時間オフフックしないことを検出した着信側インターネットＶｏＩＰアダプタ１Ｂは、応答信号をアナログ網を介して発信側インターネットＶｏＩＰアダプタ１Ａへ送信する（Ｓ７）。応答を受信した発信側インターネットＶｏＩＰアダプタ１Ａは、アナログ通話路を介して相互にＩＰアドレスを交換する（Ｓ２１）。
【００５３】
着信側のＩＰアドレスを取得した発信側インターネットＶｏＩＰアダプタ１Ａは、ＡＤＳＬの電話信号を用いたアナログ回線を切断し（Ｓ２２）、着信側インターネットＶｏＩＰアダプタ１Ｂとの間でＡＤＳＬのデータ信号を用いてインターネット呼接続（Ｈ．３２３）処理を実行する（Ｓ２３）。着信側インターネットＶｏＩＰアダプタ１Ｂは、ＶｏＩＰ着信を通常の着信音とは異なるインターネット着信音とともに着信側アナログ端末装置３Ｂへ送信する（Ｓ２４）。インターネット着信音で、ＩＰ通話が行われることを認識した着信側ユーザがオフフックすると、オフフック信号が着信側アナログ端末装置３Ｂから着信側インターネットＶｏＩＰアダプタ１Ｂへ送られる（Ｓ２５）。
【００５４】
この結果、発信側アナログ端末装置３Ａと着信側アナログ端末装置３Ｂは、発信側インターネットＶｏＩＰアダプタ１Ａと着信側インターネットＶｏＩＰアダプタ１Ｂを介してＩＰ通話が可能となる（Ｓ２６）。
【００５５】
このようにインターネット通話（ＩＰ通話）を行っている状況下で、ＩＰネットワーク上に輻輳が生じて良好な通話の確保が困難となるなど、アナログ通話に切り替える必要が生じたときには、例えば、発信側ユーザは、発信側アナログ端末装置３Ａから着信側アナログ端末装置３Ｂの着信側ユーザに対し、アナログ通話への移行を通知する（Ｓ２７）。
【００５６】
着信側アナログ端末装置３Ｂからアナログ通話への移行に対する合意があると、発信側アナログ端末装置３Ａは、アナログ端末装置３Ａから特定のボタン（例えば、＊）を押してアナログ通話移行指示をインターネットＶｏＩＰアダプタ１Ａに通知する（Ｓ２８）。このとき着信側アナログ端末３Ｂは、オフフックしたまま待機する。
【００５７】
発信側インターネットＶｏＩＰアダプタ１Ａは、オフフック信号とダイヤル信号をアナログ網へ出力する（Ｓ２９）。アナログ網は、着信側アナログ端末３Ｂがオフフックしたまま待機する状態にある着信側インターネットＶｏＩＰアダプタ１Ｂへナンバーディスプレイ着信を行い（Ｓ３０）、着信側インターネットＶｏＩＰアダプタ１Ｂは、応答をアナログ網経由で発信側インターネットＶｏＩＰアダプタ１Ａへ返す（Ｓ３１）。アナログ網が確立すると、発信側インターネットＶｏＩＰアダプタ１Ａは、着信側インターネットＶｏＩＰアダプタ１ＢとのＩＰ網接続を切断する（Ｓ３２）。
【００５８】
この結果、発信側アナログ端末装置３Ａと着信側アナログ端末装置３Ｂは、発信側インターネットＶｏＩＰアダプタ１Ａと着信側インターネットＶｏＩＰアダプタ１Ｂを介してアナログ通話が可能となる（Ｓ３３）。
【００５９】
この切替方式によれば、ステップＳ２８におけるアナログ通話への移行を発信側ＶｏＩＰアダプタまたは着信側ＶｏＩＰアダプタのいずれからでも行うことができ、アナログ通話への移行を指示したＶｏＩＰアダプタ側の課金となるので、料金負担を任意に決めることができる。
【００６０】
【発明の効果】
以上のように、本発明によれば、既存のアナログ電話機（アナログ端末装置）を使用してインターネット通話（ＶｏＩＰ通話）を可能とすることができるとともに、通話中にアナログ通話からインターネット通話へまたはインターネット通話からアナログ通話へ通話を切り替えることができる。
【００６１】
本発明によれば、インターネットＶｏＩＰアダプタを用いることによって、一般アナログ通信とインターネット通信を自動的に切り替えることができる。通常の着信中に応答すると通常のアナログ通話が可能となり、通常の着信に応答せずＩＰアドレス交換後に応答すると、インターネット通信が可能となる。
【００６２】
本発明のインターネットＶｏＩＰアダプタを用いることによって、インターネット通話中に通話品質が低下したりした場合は、アナログ通話へ通話中に切り替えることができる。
【００６３】
本発明のインターネットＶｏＩＰアダプタを用いることによって、アナログ通話中に、料金の安いインターネット通話に切り替えることも可能となる。
【図面の簡単な説明】
【図１】  本発明にかかるインターネットＶｏＩＰアダプタのハードウエア構成を説明するブロック図
【図２】  上記インターネットＶｏＩＰアダプタを用いた、アナログ通話の接続処理とアナログ通話からインターネット通話への移行処理を説明するシーケンス図
【図３】上記インターネットＶｏＩＰアダプタを用いた、インターネット通話の接続処理とインターネット通話からアナログ通話への移行処理を説明するシーケンス図
【符号の説明】
１  インターネットＶｏＩＰアダプタ
１０  スプリッタ
１１  ＡＤＳＬモデム
１２  アナログ回線制御部
１３  アナログ通話／インターネット通話切替スイッチ
１４  イーサネットインタフェース
１５  音声圧縮伸長処理部
１６  主制御部
１７  着信音生成部
１８  ＩＰシグナリング制御部
１９１  データ設定制御部
１９２  シリアルインタフェース
３  アナログ端末装置
３１  アナログ回線
５  ディジタル端末装置
５１  ディジタル回線
７  アナログ回線
【図１】
0003885941.tif 000002
【図２】
0003885941.tif 000003
【図３】
0003885941.tif 000004